(57)【特許請求の範囲】
【請求項１】
吸引した液状廃棄物を収容する透明または半透明の円筒状の容器本体と、
前記円筒状の容器本体の外周長よりも短い内周長を有すると共に、自然状態で前記円筒状の容器本体の外周面の曲率よりも大きな曲率を有し、弾性変形により拡開して前記円筒状の容器本体の外周面に外装し得る透明または半透明のカバー体と、
前記カバー体と前記円筒状の容器本体との間に挿入される装飾シートと、
を有し、
前記カバー体の一部に設けられ、前記装飾シートの端部を挟持して該装飾シートを支持する挟持部と、
前記カバー体の内周面の一部に設けられ、前記円筒状の容器本体の外周面に当接して該カバー体を係止する滑止部と、
を有し、
前記挟持部は、
前記カバー体の一部を切り欠いたＣ字形状の切欠部の一対の底辺と、
前記底辺に挟まれた起立片と、
を有し、
湾曲した前記カバー体の前記起立片を内側に押し込んで前記カバー体の内側に配置される前記装飾シートの一部を前記起立片の外側に挿入し、
前記カバー体の前記切欠部の一対の前記底辺に前記装飾シートの下端部を当接させて前記カバー体と前記起立片とにより前記装飾シートの中央下端部を挟持することを特徴とする液状廃棄物容器。
【請求項２】
吸引した液状廃棄物を収容する透明または半透明の容器本体と、
前記容器本体の外径よりも大きい内径を有し、前記容器本体の外周面に外装し得る透明または半透明の筒状のカバー体と、
前記カバー体と前記容器本体との間に挿入される装飾シートと、
を有し、
前記カバー体の一部に設けられ、前記装飾シートの端部を挟持して該装飾シートを支持する挟持部と、
前記カバー体の内周面の一部に設けられ、前記容器本体の外周面に当接して該カバー体を係止する滑止部と、
を有し、
前記挟持部は、
前記カバー体の一部を切り欠いたＣ字形状の切欠部の一対の底辺と、
前記底辺に挟まれた起立片と、
を有し、
湾曲した前記カバー体の前記起立片を内側に押し込んで前記カバー体の内側に配置される前記装飾シートの一部を前記起立片の外側に挿入し、
前記カバー体の前記切欠部の一対の前記底辺に前記装飾シートの下端部を当接させて前記カバー体と前記起立片とにより前記装飾シートの中央下端部を挟持することを特徴とする液状廃棄物容器。
【請求項３】
前記容器本体の外周面に前記カバー体を介して前記装飾シートを取り付けた際に、前記装飾シートの左右端部の間に形成される間隙から前記容器本体の内部が視認し得ることを特徴とする請求項１または請求項２に記載の液状廃棄物容器。
【請求項４】
前記容器本体の外周面に前記カバー体を介して前記装飾シートを取り付けた際に、前記装飾シートの左右端部の間に形成される間隙から前記容器本体に形成された目盛りが視認し得ることを特徴とする請求項１〜３の何れか１項に記載の液状廃棄物容器。
【請求項５】
前記カバー体は、ポリエチレン、ポリカーボネイト、ポリプロピレン、アクリロニトリル・ブタジエン・スチレン(ＡＢＳ；Acrylonitrile butadiene styrene)、アクリル、スチロールのうちの少なくとも１つから構成されたことを特徴とする請求項１に記載の液状廃棄物容器。
【請求項６】
前記滑止部は、ポリウレタンにより構成されたことを特徴とする請求項１〜５の何れか１項に記載の液状廃棄物容器。
【請求項７】
前記容器本体は底部から上方に向かって外径が大きくなる錐状で構成され、前記カバー体は前記錐状の容器本体に対応して下端部から上端部に向かって内径が大きくなる錐状で構成されたことを特徴とする請求項２に記載の液状廃棄物容器。
【発明の詳細な説明】
【技術分野】
【０００１】
本発明は、吸引した液状廃棄物を収容する液状廃棄物容器に関するものである。
【背景技術】
【０００２】
従来、医療現場において、特に外科手術を行う際に生じる廃棄する必要のある血液や生理食塩水などの廃棄物は、吸引機で容器に集められて廃棄焼却処分される。例えば、特開平０９−０５６８１０号公報（特許文献１）には、円筒形の透明なプラスチック容器の表面に容量を示す目盛りを設け、低密度ポリエチレン製の収集袋内に収容された液状廃棄物の収容量を視認し得るものがある。一方、実開昭６１−１６４１６４号公報（特許文献２）には、筒状容器本体の外周面に装飾シートの両端部が糊付けして巻装され、該装飾シートの表面を被覆するビニール製の透明なカバーシートが両端部を加熱溶着して装飾シート表面に密着状態で重層されるものがある。更に、実開平０６−０６６４５２号公報（特許文献３）には、内側容器と外側容器との間に形成される閉空間内にディスプレイ部材を封入可能とし、内側容器または外側容器の少なくとも一部を透明体で構成したものがある。
【先行技術文献】
【特許文献】
【０００３】
【特許文献１】特開平０９−０５６８１０号公報
【特許文献２】実開昭６１−１６４１６４号公報
【特許文献３】実開平０６−０６６４５２号公報
【発明の概要】
【発明が解決しようとする課題】
【０００４】
しかしながら、前述の特許文献１の技術では、プラスチック容器や収集袋が透明であるため液状廃棄物が手術中の患者にも丸見えとなり、医療関係者ではない患者にとっては不快感を感じる場合があった。一方、特許文献２の技術では、装飾シートの両端部を筒状容器本体の外周面に糊付けしたり、該装飾シートの表面を被覆するビニール製の透明なカバーシートの両端部を加熱溶着する必要があるため製造工程が面倒であり、装飾シートを容易に取り替えることもできないという問題があった。また、特許文献３の技術では、外側容器と内側容器との結合部を設ける必要があるため構造が複雑となりコストアップとなるという問題があった。
【０００５】
本発明は前記課題を解決するものであり、その目的とするところは、構造が簡単で装飾シートが容易に交換でき、収容された液状廃棄物を装飾シートにより覆って患者に不快感を与えることがなく、患者から見えない側（以下、「死角」という）の装飾シートの左右端部の間に形成される間隙から医療関係者が容器内に収容された液状廃棄物の収容量を容易に視認出来る液状廃棄物容器を提供せんとするものである。
【課題を解決するための手段】
【０００６】
前記目的を達成するための本発明に係る液状廃棄物容器の第１の構成は、吸引した液状廃棄物を収容する透明または半透明の円筒状の容器本体と、前記円筒状の容器本体の外周長よりも短い内周長を有すると共に、自然状態で前記円筒状の容器本体の外周面の曲率よりも大きな曲率を有し、弾性変形により拡開して前記円筒状の容器本体の外周面に外装し得る透明または半透明のカバー体と、前記カバー体と前記円筒状の容器本体との間に挿入される装飾シートと、を有し、前記カバー体の一部に設けられ、前記装飾シートの端部を挟持して該装飾シートを支持する挟持部と、前記カバー体の内周面の一部に設けられ、前記円筒状の容器本体の外周面に当接して該カバー体を係止する滑止部と、を有し、前記挟持部は、前記カバー体の一部を切り欠いたＣ字形状の切欠部の一対の底辺と、前記底辺に挟まれた起立片と、を有し、湾曲した前記カバー体の前記起立片を内側に押し込んで前記カバー体の内側に配置される前記装飾シートの一部を前記起立片の外側に挿入し、前記カバー体の前記切欠部の一対の前記底辺に前記装飾シートの下端部を当接させて前記カバー体と前記起立片とにより前記装飾シートの中央下端部を挟持することを特徴とする。
【０００７】
また、本発明に係る液状廃棄物容器の第２の構成は、吸引した液状廃棄物を収容する透明または半透明の容器本体と、前記容器本体の外径よりも大きい内径を有し、前記容器本体の外周面に外装し得る透明または半透明の筒状のカバー体と、前記カバー体と前記容器本体との間に挿入される装飾シートと、を有し、前記カバー体の一部に設けられ、前記装飾シートの端部を挟持して該装飾シートを支持する挟持部と、前記カバー体の内周面の一部に設けられ、前記容器本体の外周面に当接して該カバー体を係止する滑止部と、を有し、前記挟持部は、前記カバー体の一部を切り欠いたＣ字形状の切欠部の一対の底辺と、前記底辺に挟まれた起立片と、を有し、湾曲した前記カバー体の前記起立片を内側に押し込んで前記カバー体の内側に配置される前記装飾シートの一部を前記起立片の外側に挿入し、前記カバー体の前記切欠部の一対の前記底辺に前記装飾シートの下端部を当接させて前記カバー体と前記起立片とにより前記装飾シートの中央下端部を挟持することを特徴とする。
【０００８】
また、本発明に係る液状廃棄物容器の第３の構成は、前記第１、第２の構成において、前記容器本体の外周面に前記カバー体を介して前記装飾シートを取り付けた際に、前記装飾シートの左右端部の間に形成される間隙から前記容器本体の内部が視認し得ることを特徴とする。
【０００９】
また、本発明に係る液状廃棄物容器の第４の構成は、前記第１〜第３の構成において、前記容器本体の外周面に前記カバー体を介して前記装飾シートを取り付けた際に、前記装飾シートの左右端部の間に形成される間隙から前記容器本体に形成された目盛りが視認し得ることを特徴とする。
【００１０】
また、本発明に係る液状廃棄物容器の第５の構成は、前記第１の構成において、前記カバー体は、ポリエチレン、ポリカーボネイト、ポリプロピレン、アクリロニトリル・ブタジエン・スチレン(ＡＢＳ；Acrylonitrile butadiene styrene)、アクリル、スチロールのうちの少なくとも１つから構成されたことを特徴とする。
【００１１】
また、本発明に係る液状廃棄物容器の第６の構成は、前記第１〜第５の構成において、前記滑止部は、ポリウレタンにより構成されたことを特徴とする。
【００１２】
また、本発明に係る液状廃棄物容器の第７の構成は、前記第２の構成において、前記容器本体は底部から上方に向かって外径が大きくなる錐状で構成され、前記カバー体は前記錐状の容器本体に対応して下端部から上端部に向かって内径が大きくなる錐状で構成されたことを特徴とする。
【発明の効果】
【００１３】
本発明に係る液状廃棄物容器の第１の構成によれば、カバー体の一部に設けた挟持部により装飾シートの端部を挟持して該装飾シートをカバー体に支持することが出来る。そして、内周面に沿って装飾シートを取り付けたカバー体を弾性変形により拡開して円筒状の容器本体の外周面に外装し、カバー体が弾性力により復元して装飾シートが円筒状の容器本体の外周面とカバー体の内周面との間に挟持される。そして、カバー体の内周面の一部に設けた滑止部が円筒状の容器本体の外周面に当接して該カバー体を係止することが出来る。これにより、構造が簡単で装飾シートが容易に交換でき、円筒状の容器本体内に収容された液状廃棄物を装飾シートにより覆って患者に不快感を与えることがなく、患者からは死角となる装飾シートの左右端部の間に形成される間隙から医療関係者が円筒状の容器本体内に収容された液状廃棄物の色や収容量等を容易に視認出来る。
【００１４】
また、本発明に係る液状廃棄物容器の第２の構成によれば、カバー体の一部に設けた挟持部により装飾シートの端部を挟持して該装飾シートをカバー体に支持することが出来る。そして、内周面に沿って装飾シートを取り付けた筒状のカバー体を容器本体の外周面に外装して装飾シートが容器本体の外周面とカバー体の内周面との間に挿入される。そして、カバー体の内周面の一部に設けた滑止部が容器本体の外周面に当接して該カバー体を係止することが出来る。これにより、構造が簡単で装飾シートが容易に交換でき、容器本体内に収容された液状廃棄物を装飾シートにより覆って患者に不快感を与えることがなく、患者からは死角となる装飾シートの左右端部の間に形成される間隙から医療関係者が容器本体内に収容された液状廃棄物の色や収容量等を容易に視認出来る。
【００１５】
また、本発明に係る液状廃棄物容器の第３の構成によれば、容器本体の外周面にカバー体を介して装飾シートを取り付けた際に、該装飾シートの左右端部の間に形成される間隙から容器本体の内部が視認出来、患者からは装飾シートにより容器本体内部に収容された液状廃棄物は覆われて見えず、医療関係者は患者からは死角となる装飾シートの左右端部の間に形成される間隙から容器本体の内部が視認出来、液状廃棄物の色や収容量等の確認が容易に出来る。
【００１６】
また、本発明に係る液状廃棄物容器の第４の構成によれば、容器本体の外周面にカバー体を介して装飾シートを取り付けた際に、該装飾シートの左右端部の間に形成される間隙から容器本体に形成された目盛りが視認出来、患者からは装飾シートにより容器本体内部に収容された液状廃棄物は覆われて見えず、医療関係者は患者からは死角となる装飾シートの左右端部の間に形成される間隙から容器本体に形成された目盛りが視認出来、液状廃棄物の収容量の確認が容易に出来る。
【００１７】
また、本発明に係る液状廃棄物容器の第５の構成によれば、カバー体の材質を、ポリエチレン、ポリカーボネイト、ポリプロピレン、アクリロニトリル・ブタジエン・スチレン(ＡＢＳ；Acrylonitrile butadiene styrene)、アクリル、スチロールのうちの少なくとも１つから構成することにより、自然状態で円筒状の容器本体の外周面の曲率よりも大きな曲率を有し、弾性変形により拡開して円筒状の容器本体の外周面に容易に外装し得る透明または半透明のカバー体を容易に製造することが出来る。
【００１８】
また、本発明に係る液状廃棄物容器の第６の構成によれば、滑止部の材質を、ポリウレタンにより構成することにより、滑止部が適度の弾性と表面吸着性を持ち、容器本体の外周面に当接して該カバー体を効果的に係止することが出来、取り外しも容易である。
【００１９】
また、本発明に係る液状廃棄物容器の第７の構成によれば、容器本体が底部から上方に向かって外径が大きくなる円錐や角錐の一部からなる錐状で構成され、カバー体も錐状の容器本体に対応して下端部から上端部に向かって内径が大きくなる円錐や角錐の一部からなる錐状で構成されたことで、装飾シートをカバー体の内周面側に支持した状態でカバー体の上端部から容器本体を挿入する際に装飾シートが容器本体の底部に干渉して外れるなどの不具合がなくカバー体を容器本体の外周面に外装する際の操作性が良い。
【図面の簡単な説明】
【００２０】
【図１】本発明に係る液状廃棄物容器の第１実施形態の構成を示す図である。
【図２】本発明に係る液状廃棄物容器の第１実施形態の構成を示す分解説明図である。
【図３】第１実施形態において、患者からは死角となる装飾シートの左右端部の間に形成される間隙から容器本体に形成された目盛りを視認し、液状廃棄物の収容量を確認する様子を示す図である。
【図４】本発明に係る液状廃棄物容器の第２実施形態の構成を示す図である。
【図５】本発明に係る液状廃棄物容器の第２実施形態の構成を示す分解説明図である。
【発明を実施するための形態】
【００２１】
図により本発明に係る液状廃棄物容器の一実施形態を具体的に説明する。
【実施例１】
【００２２】
先ず、図１〜図３を用いて本発明に係る液状廃棄物容器の第１実施形態の構成について説明する。図１〜図３において、２は吸引した液状廃棄物３を収容するプラスチック製の透明または半透明の円筒状の容器本体である。４は透明または半透明のカバー体であり、円筒状の容器本体２の外周長よりも短い内周長を有すると共に、自然状態で円筒状の容器本体２の外周面の曲率よりも大きな曲率を有し、弾性変形により拡開して円筒状の容器本体２の外周面に外装し得るよう構成される。ここで、曲率とはカバー体４の曲面の曲がり具合を表す量である。例えば半径Ｒの円周の曲率は１／Ｒであり、曲がり具合がきついほど曲率は大きくなる。
【００２３】
カバー体４は、ポリエチレン、ポリカーボネイト、ポリプロピレン、アクリロニトリル・ブタジエン・スチレン(ＡＢＳ；Acrylonitrile butadiene styrene)、アクリル、スチロールのうちの少なくとも１つから構成することが出来る。これにより、自然状態で円筒状の容器本体２の外周面の曲率よりも大きな曲率を有し、弾性変形により拡開して円筒状の容器本体２の外周面に容易に外装し得る透明または半透明のカバー体を容易に製造することが出来る。カバー体４の製造方法の一例としては、円柱の型に上記樹脂を流し込んで射出成形することが出来る。
【００２４】
カバー体４の内周面と円筒状の容器本体２の外周面との間に不透明な装飾シート５が挿入される。本実施形態の装飾シート５はカバー体４の内面積よりも小さな面積を有して構成される。装飾シート５としては、写真や絵画、ポスターなどの印刷物等が適用でき、紙やプラスチックシート等の種々の材質が適用可能である。
【００２５】
カバー体４の下部（一部）には、装飾シート５の中央下端部５ａを挟持して該装飾シート５を支持する挟持部が設けられている。本実施形態の挟持部はカバー体４の一部を切り欠いたＣ字形状の切欠部４ａの一対の底辺４ｂと、該底辺４ｂに挟まれた起立片４ｃとを有しており、図１（ａ）に示すように、湾曲したカバー体４の起立片４ｃを内側に押し込んでカバー体４の内側に配置される装飾シート５の一部を起立片４ｃの外側に挿入し、カバー体４の切欠部４ａの一対の底辺４ｂに装飾シート５の下端部５ａを当接させカバー体４と起立片４ｃとにより装飾シート５の中央下端部５ａを挟持する。装飾シート５を取り外す際には、起立片４ｃから引き抜けば容易に取り外すことができ、装飾シート５の交換も容易である。
【００２６】
カバー体４の内周面の上部で左右両端部（一部）には、円筒状の容器本体２の外周面に当接して該カバー体４を係止する滑止部６が設けられている。滑止部６は、ポリウレタンにより構成される。滑止部６の材質をポリウレタンにより構成することにより、滑止部６が適度の弾性と表面吸着性を持ち、円筒状の容器本体２の外周面に当接して該カバー体４を効果的に係止することが出来、接着や溶着ではないため取り外しも容易で繰り返し着脱出来る。滑止部６はカバー体４の内周面に対して両面テープ等により容易に固着することが出来る。
【００２７】
上記構成の液状廃棄物容器１によれば、カバー体４の中央下部（一部）に設けた挟持部となる起立片４ｃにより装飾シート５の中央下端部５ａを挟持して該装飾シート５をカバー体４に支持することが出来る。そして、内周面に沿って装飾シート５を取り付けたカバー体４を弾性変形により拡開して円筒状の容器本体２の外周面に外装し、カバー体４が弾性力により復元して装飾シート５が円筒状の容器本体２の外周面とカバー体４の内周面との間に挟持される。そして、カバー体４の内周面の上部の左右両端部（一部）に設けた滑止部６が円筒状の容器本体２の外周面に当接して該カバー体４を係止することが出来る。
【００２８】
図１〜図３において、９は図示しない外部の吸引装置に接続される排気口であり、10は吸引圧力調整つまみである。また、11は患者の患部に当てる図示しないペイセントホースに接続される吸引口である。また、円筒状の容器本体２のキャップ12には排気口９の通路を閉塞する閉塞弁14に連結されたフロート13が設けられており、フロート13は液状廃棄物３に浮くように構成される。そして、図３（ｂ）に示すように、円筒状の容器本体２内に液状廃棄物３が満杯となった場合、液状廃棄物３に浮くフロート13が閉塞弁14を操作して排気口９の通路を閉塞する。
【００２９】
上記構成の液状廃棄物容器１によれば、構造が簡単で装飾シート５が容易に交換でき、円筒状の容器本体２内に収容された液状廃棄物３を装飾シート５により覆って患者に不快感を与えることがなく、図３に示すように、患者からは死角となる装飾シート５の左右端部５ｂ，５ｃの間に形成される間隙７から医療関係者が円筒状の容器本体２内に収容された液状廃棄物３の色や収容量等を容易に視認出来る。
【００３０】
このように、円筒状の容器本体２の外周面にカバー体４を介して装飾シート５を取り付けた際に、該装飾シート５の左右端部５ｂ，５ｃの間に形成される間隙７から円筒状の容器本体２の内部が視認出来、患者からは装飾シート５により円筒状の容器本体２内部に収容された液状廃棄物３は覆われて見えず、図３に示すように、医療関係者は患者からは死角となる装飾シート５の左右端部５ｂ，５ｃの間に形成される間隙７から円筒状の容器本体２の内部が視認出来、液状廃棄物３の色や収容量等の確認が容易に出来る。
【００３１】
また、円筒状の容器本体２の外周面には液状廃棄物３の収容量を計測するための目盛り８が形成されており、円筒状の容器本体２の外周面にカバー体４を介して装飾シート５を取り付けた際に、該装飾シート５の左右端部５ｂ，５ｃの間に形成される間隙７から円筒状の容器本体２に形成された目盛り８が視認出来、患者からは装飾シート５により円筒状の容器本体２内部に収容された液状廃棄物３は覆われて見えず、図３に示すように、医療関係者は患者からは死角となる装飾シート５の左右端部５ｂ，５ｃの間に形成される間隙７から円筒状の容器本体２に形成された目盛り８が視認出来、液状廃棄物３の色や収容量等の確認が容易に出来る。
【実施例２】
【００３２】
次に、図４及び図５を用いて本発明に係る液状廃棄物容器の第２実施形態の構成について説明する。尚、前記第１実施形態と同様に構成したものは同一の符号を付して説明を省略する。前記第１実施形態ではカバー体４をカールしたシート状で構成したが、本実施形態ではカバー体４を円錐状に構成したものである。尚、容器本体２が断面三角形、断面四角形等の断面多角形や断面長円形や断面楕円形等の種々の形状で構成される場合には、カバー体４も容器本体２の外径に対応した筒錐状に構成される。
【００３３】
図４及び図５において、本実施形態では、吸引した液状廃棄物３を収容する透明または半透明の容器本体２と、該容器本体２の外径よりも大きい内径を有し、該容器本体２の外周面に外装し得る透明または半透明の筒状のカバー体４と、該カバー体４と容器本体２との間に挿入される装飾シート５とを有し、カバー体４の一部に装飾シート５の端部を挟持して該装飾シート５を支持する挟持部を設け、カバー体４の内周面の一部に容器本体２の外周面に当接して該カバー体４を係止する滑止部６を設けたものである。そして、本実施形態の容器本体２は底部２ａから上方に向かって外径が大きくなる円錐状で構成され、カバー体４は円錐状の容器本体２に対応して下端部４ｄから上端部４ｅに向かって内径が大きくなる錐状で構成される。装飾シート５を支持する挟持部は前記第１実施形態と同様に構成される。
【００３４】
装飾シート５をカバー体４に設けられた挟持部となる起立片４ｃにより挟持してカバー体４の内周面側に支持した状態で該カバー体４の内部に上端部４ｅ側から容器本体２の底部２ａ側を挿入し、カバー体４の上部内周面に複数設けられたポリウレタンからなる滑止部６を容器本体２の外周面に当接してカバー体４を係止する。
【００３５】
本実施形態の構成によれば、カバー体４の一部に設けた挟持部により装飾シート５の端部を挟持して該装飾シート５をカバー体４に支持することが出来る。そして、内周面に沿って装飾シート５を取り付けた筒状のカバー体４を容器本体２の外周面に外装して装飾シート５が容器本体２の外周面とカバー体４の内周面との間に挿入される。そして、カバー体４の内周面の一部に設けた滑止部６が容器本体２の外周面に当接して該カバー体４を係止することが出来る。これにより、構造が簡単で装飾シート５が容易に交換でき、容器本体２内に収容された液状廃棄物３を装飾シート５により覆って患者に不快感を与えることがなく、患者からは死角となる装飾シート５の左右端部５ｂ，５ｃの間に形成される間隙７から医療関係者が容器本体２内に収容された液状廃棄物３の色や収容量等を容易に視認出来る。
【００３６】
また、容器本体２が底部２ａから上方に向かって外径が大きくなる円錐や角錐の一部からなる錐状で構成され、カバー体４も錐状の容器本体２に対応して下端部４ｄから上端部４ｅに向かって内径が大きくなる円錐や角錐の一部からなる錐状で構成されたことで、装飾シート５をカバー体４の内周面側に支持した状態でカバー体４の上端部４ｅ側から容器本体２の底部２ａ側を挿入して容器本体２の外周面にカバー体４を外装する際に装飾シート５が容器本体２の底部２ａに干渉して外れるなどの不具合がなく外装する際の操作性が良い。他の構成は前記第１実施形態と同様に構成され、同様な効果を奏するものである。
【産業上の利用可能性】
【００３７】
本発明の活用例として、医療現場において、特に外科手術を行う際に生じる廃棄する必要のある血液や生理食塩水などの液状廃棄物の容器として適用出来る。
【符号の説明】
【００３８】
１    …液状廃棄物容器
２    …容器本体
２ａ  …底部
３    …液状廃棄物
４    …カバー体
４ａ  …切欠部
４ｂ  …底辺
４ｃ  …起立片（挟持部）
４ｄ  …下端部
４ｅ  …上端部
５    …装飾シート
５ａ  …下端部
５ｂ，５ｃ …左右端部
６    …滑止部
７    …間隙
８…目盛り
９    …排気口
10…吸引圧力調整つまみ
11    …吸引口
12    …キャップ
13    …フロート
14    …閉塞弁
【図１】
0005503981.tif 000002
【図２】
0005503981.tif 000003
【図３】
0005503981.tif 000004
【図４】
0005503981.tif 000005
【図５】
0005503981.tif 000006